(57)【要約】  マルチチャンネル・テレビジョン信号受信機などのマルチチャンネル受信装置においてフロントエンド信号処理を実行するために適した信号処理装置（１００／２００）は、コストパフォーマンスに優れ、拡張可能なアーキテクチャを利用する。例示的な実施の形態によれば、信号処理装置（１００／２００）は、ユーザのチャンネル選択に応じて第１および第２のＲＦ信号を生成するように動作するＲＦ信号源（１０、１２、１５、２０、２５、３０、３５、４０、４５）を備える。第１のＩＦ生成器（５０、６０、７０、８０）は、ユーザのチャンネル選択に応じて第１のＲＦ信号に対応する第１のＩＦ信号を生成するように動作する。第２のＩＦ生成器（５５、６５、７５、８５）は、ユーザのチャンネル選択に応じて第２のＲＦ信号に対応する第２のＩＦ信号を生成するように動作する。第１のＩＦ信号は、第２のＩＦ信号に対して所定の周波数の関係を示す。
2008502278.tif 000002
【特許請求の範囲】
【請求項１】
ユーザのチャンネル選択に応じて第１および第２のＲＦ信号を生成するＲＦ信号源（１０、１２、１５、２０、２５、３０、３５、４０、４５）と、
前記ユーザのチャンネル選択に応じて前記第１のＲＦ信号に対応する第１のＩＦ信号を生成する第１のＩＦ生成手段（５０、６０、７０、８０）と、
前記ユーザのチャンネル選択に応じて前記第２のＲＦ信号に対応する第２のＩＦ信号を生成する第２のＩＦ生成手段（５５、６５、７５、８５）と、を備え、
前記第１のＩＦ信号が前記第２のＩＦ信号に対して所定の周波数の関係を示す信号処理装置（１００／２００）。
【請求項２】
前記ＲＦ信号源（１０、１２、１５、２０、２５、３０、３５、４０、４５）は、受信したＲＦ信号を分配して前記第１および第２のＲＦ信号を生成することを可能とする信号分配器（１５）を備える請求項１に記載の信号処理装置（１００／２００）。
【請求項３】
前記ＲＦ信号源（１０、１２、１５、２０、２５、３０、３５、４０、４５）は、
前記第１のＲＦ信号に対応する第１の信号を受信する第１のアンテナ（１０）と、
前記第２のＲＦ信号に対応する第２の信号を受信する第２のアンテナ（１２）と、を備える請求項１に記載の信号処理装置（１００／２００）。
【請求項４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯に連続して保護周波数帯が存在する請求項１に記載の信号処理装置（１００／２００）。
【請求項５】
前記第１のＩＦ生成手段（５０、６０、７０、８０）は、
前記第１のＲＦ信号の周波数をアップコンバートして第１の周波数変換された信号を生成する第１のチューニング手段（５０、６０、７０）と、
前記第１の周波数変換された信号を濾波して前記第１のＩＦ信号を生成する第１のフィルタ手段（８０）と、を備える請求項１に記載の信号処理装置（１００／２００）。
【請求項６】
前記第２のＩＦ生成手段（５５、６５、７５、８５）は、
前記第２のＲＦ信号の周波数をアップコンバートして第２の周波数変換された信号を生成する第２のチューニング手段（５５、６５、７５）と、
前記第２の周波数変換された信号を濾波して前記第２のＩＦ信号を生成する第２のフィルタ手段（８５）と、を備える請求項５に記載の信号処理装置（１００／２００）。
【請求項７】
前記第１のＩＦ生成手段（５０、６０、７０、８０）は、
前記第１のＲＦ信号の周波数をダウンコンバートして第１の周波数変換された信号を生成する第１のチューニング手段（５０、６０、７０）と、
前記第１の周波数変換された信号を濾波して前記第１のＩＦ信号を生成する第１のフィルタ手段（８０）と、を備える請求項１に記載の信号処理装置（１００／２００）。
【請求項８】
前記第２のＩＦ生成手段（５５、６５、７５、８５）は、
前記第２のＲＦ信号の周波数をダウンコンバートして第２の周波数変換された信号を生成する第２のチューニング手段（５５、６５、７５）と、
前記第２の周波数変換された信号を濾波して前記第２のＩＦ信号を生成する第２のフィルタ手段（８５）と、を備える請求項７に記載の信号処理装置（１００／２００）。
【請求項９】
前記第１および第２のＩＦ信号に対応するディジタル信号を生成するＡ／Ｄ変換手段（９５）をさらに備える請求項１に記載の信号処理装置（１００／２００）。
【請求項１０】
前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である請求項１に記載の信号処理装置（１００／２００）。
【請求項１１】
ユーザのチャンネル選択に応じて第１および第２のＲＦ信号を生成するステップ（３２０）と、
前記ユーザのチャンネル選択に応じて前記第１のＲＦ信号に対応する第１のＩＦ信号を生成するステップ（３３０、３４０）と、
前記ユーザのチャンネル選択に応じて前記第２のＲＦ信号に対応する第２のＩＦ信号を生成するステップ（３３０、３４０）と、を含み、
前記第１のＩＦ信号が前記第２のＩＦ信号に対して所定の周波数の関係を示す、マルチチャンネル受信機において信号処理を実行する方法（３００）。
【請求項１２】
受信したＲＦ信号を分配して前記第１および第２のＲＦ信号を生成させるステップをさらに含む請求項１１に記載の方法（３００）。
【請求項１３】
第１のアンテナを介して前記第１のＲＦ信号に対応する第１の信号を受信するステップと、
第２のアンテナを介して前記第２のＲＦ信号に対応する第２の信号を受信するステップと、をさらに含む請求項１１に記載の方法（３００）。
【請求項１４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する請求項１１に記載の方法（３００）。
【請求項１５】
前記第１のＩＦ信号を生成するステップは、
前記第１のＲＦ信号の周波数をアップコンバートして第１の周波数変換された信号を生成するステップ（３３０）と、
前記第１の周波数変換された信号を濾波して前記第１のＩＦ信号を生成するステップ（３４０）と、を含む請求項１１に記載の方法（３００）。
【請求項１６】
前記第２のＩＦ信号を生成するステップは、
前記第２のＲＦ信号の周波数をアップコンバートして第２の周波数変換された信号を生成するステップ（３３０）と、
前記第２の周波数変換された信号を濾波して前記第２のＩＦ信号を生成するステップ（３４０）と、を含む請求項１５に記載の方法（３００）。
【請求項１７】
前記第１のＩＦ信号を生成するステップは、
前記第１のＲＦ信号の周波数をダウンコンバートして第１の周波数変換された信号を生成するステップ（３３０）と、
前記第１の周波数変換された信号を濾波して前記第１のＩＦ信号を生成するステップ（３４０）と、を含む請求項１１に記載の方法（３００）。
【請求項１８】
前記第２のＩＦ信号を生成するステップは、
前記第２のＲＦ信号の周波数をダウンコンバートして第２の周波数変換された信号を生成するステップ（３３０）と、
前記第２の周波数変換された信号を濾波して前記第２のＩＦ信号を生成するステップ（３４０）と、を含む請求項１７に記載の方法（３００）。
【請求項１９】
前記第１および第２のＩＦ信号に対応するディジタル信号を生成するステップ（３６０）をさらに含む請求項１１に記載の方法（３００）。
【請求項２０】
前記第１および第２のＲＦ信号は、前記ユーザのチャンネル選択に基づく周波数の関係を示し、
前記第１および第２のＲＦ信号の間の周波数の関係は前記第１および第２のＩＦ信号の間の前記所定の周波数の関係と無関係である請求項１１に記載の方法（３００）。
【請求項２１】
ユーザのチャンネル選択に応じて第１および第２のＲＦ信号を生成するように動作するＲＦ信号源（１０、１２、１５、２０、２５、３０、３５、４０、４５）と、
前記ユーザのチャンネル選択に応じて前記第１のＲＦ信号に対応する第１のＩＦ信号を生成するように動作する第１のＩＦ生成器（５０、６０、７０、８０）と、
前記ユーザのチャンネル選択に応じて前記第２のＲＦ信号に対応する第２のＩＦ信号を生成する第２のＩＦ生成器（５５、６５、７５、８５）と、を備え、
前記第１のＩＦ信号が前記第２のＩＦ信号に対して所定の周波数の関係を示すテレビジョン信号受信機（１００／２００）。
【請求項２２】
前記ＲＦ信号源（１０、１２、１５、２０、２５、３０、３５、４０、４５）は、受信したＲＦ信号を分配して前記第１および第２のＲＦ信号を生成可能な信号分配器（１５）を備える請求項２１に記載のテレビジョン信号受信機（１００／２００）。
【請求項２３】
前記ＲＦ信号源（１０、１２、１５、２０、２５、３０、３５、４０、４５）は、
前記第１のＲＦ信号に対応する第１の信号を受信する第１のアンテナ（１０）と、
前記第２のＲＦ信号に対応する第２の信号を受信する第２のアンテナ（１２）と、を備える請求項２１に記載のテレビジョン信号受信機（１００／２００）。
【請求項２４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する請求項２１に記載のテレビジョン信号受信機（１００／２００）。
【請求項２５】
前記第１のＩＦ生成器（５０、６０、７０、８０）は、
前記第１のＲＦ信号の周波数をアップコンバートして第１の周波数変換された信号を生成する第１のチューナ（５０、６０、７０）と、
前記第１の周波数変換された信号を濾波して前記第１のＩＦ信号を生成する第１のフィルタ（８０）と、を備える請求項２１に記載のテレビジョン信号受信機（１００／２００）。
【請求項２６】
前記第２のＩＦ生成器（５５、６５、７５、８５）は、
前記第２のＲＦ信号の周波数をアップコンバートして第２の周波数変換された信号を生成する第２のチューナ（５５、６５、７５）と、
前記第２の周波数変換された信号を濾波して前記第２のＩＦ信号を生成する第２のフィルタ（８５）と、を備える請求項２５に記載のテレビジョン信号受信機（１００／２００）。
【請求項２７】
前記第１のＩＦ生成器（５０、６０、７０、８０）は、
前記第１のＲＦ信号の周波数をダウンコンバートして第１の周波数変換された信号を生成する第１のチューナ（５０、６０、７０）と、
前記第１の周波数変換された信号を濾波して前記第１のＩＦ信号を生成する第１のフィルタ（８０）と、を備える請求項２１に記載のテレビジョン信号受信機（１００／２００）。
【請求項２８】
前記第２のＩＦ生成器（５５、６５、７５、８５）は、
前記第２のＲＦ信号の周波数をダウンコンバートして第２の周波数変換された信号を生成する第２のチューナ（５５、６５、７５）と、
前記第２の周波数変換された信号を濾波して前記第２のＩＦ信号を生成する第２のフィルタ（８５）と、を備える請求項２７に記載のテレビジョン信号受信機（１００／２００）。
【請求項２９】
前記第１および第２のＩＦ信号に対応するディジタル信号を生成するＡ／Ｄコンバータ（９５）をさらに備える請求項２１に記載のテレビジョン信号受信機（１００／２００）。
【請求項３０】
前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である請求項２１に記載のテレビジョン信号受信機（１００／２００）。
【発明の詳細な説明】
【技術分野】
【０００１】
本発明は、一般的には、マルチチャンネル・テレビジョン信号受信機などのマルチチャンネル受信装置における信号処理に関し、より具体的には、コストパフォーマンスに優れ、拡張可能なアーキテクチャを利用するマルチチャンネル受信装置における信号処理を実行するための装置および方法に関する。
【背景技術】
【０００２】
テレビジョン信号受信機などの装置は、単一のチャンネルの受信能力を提供するように設計されることもあるし、複数のチャンネルの受信能力を提供するように設計されることもある。特定の用途では、単一のチャンネルの受信能力があれば十分である。例えば、特定の信号受信機の用途のためにコストが最重要な問題となっている場合には、単一のチャンネルの受信能力のみを提供することが望ましいであろう。また、複数のチャンネルの受信能力が望ましい単一の受信機の用途も存在する。例えば、複数の放送チャンネルを同時に受信できるように、複数のチャンネルの受信能力が望ましい場合もある。この機能は、例えば、消費者があるチャンネルを視聴し、同時に別のチャンネルを記録することを可能にする。
【０００３】
現在のマルチチャンネル受信装置は、各受信チャンネルのための専用の処理コンポーネントを備えるアーキテクチャを有することが多い。例えば、特定の装置は、各受信チャンネルに対し、専用のチューナ、アナログ／ディジタル（Ａ／Ｄ）変換器、復調器および／または他のコンポーネントを含むことがある。このようなアーキテクチャを有する装置は、各受信チャンネルに専用のコンポーネントが必要であり、コンポーネントの共有（存在する場合）がほとんど使用されていないため、製造コストが高くなり易い。比較的高い製造コストにより、このような装置は、消費者にとって高価なものとなる。
【０００４】
従って、コストパフォーマンスに優れ、拡張可能なアーキテクチャを利用するマルチチャンネル・テレビジョン信号受信機などのマルチチャンネル受信装置において信号処理を実行するための装置および方法に対する要求が存在する。
【発明の開示】
【０００５】
本発明の一態様によれば、信号処理装置が開示される。例示的な実施の形態によれば、信号処理装置は、ユーザのチャンネル選択に応じて第１および第２のＲＦ信号を生成するＲＦ信号源を含む。まず、ＩＦ生成手段は、ユーザのチャンネル選択に応じて第１のＲＦ信号に対応する第１のＩＦ信号を生成する。第２のＩＦ生成手段は、ユーザのチャンネル選択に応じて第２のＲＦ信号に対応する第２のＩＦ信号を生成する。第１のＩＦ信号は、第２のＩＦ信号に対して所定の周波数の関係を示す。
【０００６】
本発明の別の態様によれば、マルチチャンネル受信機において信号処理を実行する方法が開示される。例示的な実施の形態によれば、この方法は、ユーザのチャンネル選択に応じて第１および第２のＲＦ信号を生成するステップと、ユーザのチャンネル選択に応じて第１のＲＦ信号に対応する第１のＩＦ信号を生成するステップと、ユーザのチャンネル選択に応じて第２のＲＦ信号に対応する第２のＩＦ信号を生成するステップとを含み、第１のＩＦ信号は、第２のＩＦ信号に対して所定の周波数の関係を示す。
【０００７】
本発明の別の態様によれば、テレビジョン信号受信機が開示される。例示的な実施の形態によれば、テレビジョン信号受信機は、ユーザのチャンネル選択に応じて第１および第２のＲＦ信号を生成するように動作するＲＦ信号源を含む。第１のＩＦ生成器は、ユーザのチャンネル選択に応じて第１のＲＦ信号に対応する第１のＩＦ信号を生成するように動作する。第２のＩＦ生成器は、ユーザのチャンネル選択に応じて第２のＲＦ信号に対応する第２のＩＦ信号を生成するように動作する。第１のＩＦ信号は、第２のＩＦ信号に対して所定の周波数の関係を示す。
【０００８】
本発明の上述した特徴および利点、その他の特徴および利点、さらに、これらを達成する方法は、添付図面と共に以下の本発明の各実施の形態を参照することによってより良好に理解できるようになるであろう。
【０００９】
本明細書に例示された内容は、本発明の好ましい実施の形態を示し、このように例示された内容は、どのような点においても、本発明の範囲を限定するように解釈されるべきではない。各図面を通じて、共通の参照符号は、同一、または同様の要素を表すために使用される。
【発明を実施するための最良の形態】
【００１０】
次に、図面、より具体的には、図１を参照すると、本発明の例示的な実施の形態に係る信号処理装置１００が示されている。信号処理装置１００は、例えば、マルチチャンネル・テレビジョン信号受信機および／または他の装置などのマルチチャンネル受信装置のフロントエンド処理回路を表す。図１に示すように、信号処理装置１００は、信号分配器１５などの無線周波数（ＲＦ）信号源と、入力フィルタ２０および２５と、自動利得制御（ＡＧＣ）増幅器３０および３５と、出力フィルタ４０および４５と、信号混合器５０、５５などの中間周波数（ＩＦ）生成手段と、局部発振器（ＬＯ）６０および６５と、位相ロックド・ループ（ＰＬＬ）７０および７５と、フィルタ／ダイプレクサ８０および８５と、増幅器９０などの信号増幅手段と、Ａ／Ｄコンバータ９５などのＡ／Ｄ変換手段とを含む。図１の上述した要素の多くは、集積回路（ＩＣ：）を用いて実施することができ、例えば、幾つかの要素は１つあるいはそれ以上のＩＣに含まれるようにしてもよい。説明の簡略化のため、特定の制御信号、電力信号、および／または他の要素など、信号処理装置１００に関係する特定の従来の要素が図１には示されていない場合がある。
【００１１】
信号分配器１５は、無線周波数（ＲＦ）入力信号を受信し、受信したＲＦ信号を受信したＲＦ入力信号と概ね同じ内容を含む複数のＲＦ信号に分配するように動作する。例示的な実施の形態によれば、信号分配器１５が受信したＲＦ入力信号は、オーディオ、ビデオ、および／またはデータ・コンテンツを含み、地上、ケーブル、衛星、インターネットおよび／または他の信号源など、１つ以上の信号源から供給される。
【００１２】
例示的な説明のため、図１の信号処理装置１００は、ＲＦ入力信号が信号分配器１５によって２つのＲＦ信号に分配され、これらのＲＦ信号の各々が別々に、異なる処理パスにおいて処理される場合を示す。本発明によれば、各処理パスは、単一のチャンネルのために信号処理を実行する。特に、図１において、入力フィルタ２０、ＡＧＣ増幅器３０、出力フィルタ４０、信号混合器５０、ＬＯ６０、ＰＬＬ７０、およびフィルタ／ダイプレクサ８０は、第１のチャンネルのために信号処理を実行する第１の処理パスを表す。同様に、入力フィルタ２５、ＡＧＣ増幅器３５、出力フィルタ４５、信号混合器５５、ＬＯ６５、ＰＬＬ７５、およびフィルタ／ダイプレクサ８５は、第２のチャンネルのために信号処理を実行する第２の処理パスを表す。しかしながら、本発明の原理に従って、ＲＦ入力信号を２つよりも多い数のＲＦ信号に分配することも可能である。従って、信号処理装置１００のアーキテクチャは拡張可能なものであり、信号分配器１５によって供給するＲＦ信号の数に対応する数の異なる処理パスを含むように変更することが可能である。このように、信号処理装置１００は、Ｎ個のチャンネルの信号処理を実行するために、Ｎ個の異なる処理パスを含んでもよい。
【００１３】
入力フィルタ２０および２５は、ユーザのチャンネル選択に応じて信号分配器１５から供給されるＲＦ信号を濾波するように動作し、第１のセットの濾波されたＲＦ信号を生成する。ＡＧＣ増幅器３０および３５は、利得制御信号ＲＦ  ＡＧＣ１およびＲＦ  ＡＧＣ２の各々に応じて入力フィルタ２０および２５から供給された濾波されたＲＦ信号を増幅するように動作し、利得制御されたＲＦ信号を生成する。出力フィルタ４０および４５は、ＡＧＣ増幅器３０および３５から供給される利得制御されたＲＦ信号を濾波し、ユーザのチャンネル選択に応じて第２のセットの濾波されたＲＦ信号を生成する。一般に、入力フィルタ２０および２５、出力フィルタ４０および４５の濾波動作は、ユーザのチャンネル選択に応じて信号を分離し、選択されたチャンネル内で所望しない信号が所望の信号に干渉することを阻止する。しかしながら、信号処理装置１００の設計に応じて、入力フィルタ２０および２５、さらに、出力フィルタ４０および４５を任意の要素としてもよい。上述した方法において、信号分配器１５、入力フィルタ２０および２５、ＡＧＣ増幅器３０および３５、さらに、出力フィルタ４０および４５は、ユーザのチャンネル選択に応じてＲＦ信号を生成する。
【００１４】
信号混合器５０および５５は、出力フィルタ４０および４５から供給された濾波されたＲＦ信号とＬＯ６０および６５から供給されたＬＯ信号の各々を混合するように動作し、周波数変換された信号を生成する。ＬＯ６０および６５は、ＰＬＬ７０および７５の各々より供給されたＰＬＬ信号およびユーザのチャンネル選択に応じて信号混合器５０および５５によって使用されるＬＯ信号を生成するように動作する。ＰＬＬ７０および７５は、基準周波数に応じて、ＬＯ６０および６５の各々によって使用されるＰＬＬ信号を生成するように動作する。上述した方法においては、信号混合器５０、ＬＯ６０、およびＰＬＬ７０は、第１のチューニング手段として動作し、信号混合器５５、ＬＯ６５、およびＰＬＬ７５は、第２のチューニング手段として動作する。本明細書において後述するように、これらの第１および第２のチューニング手段は、互いに独立して動作し、周波数のアップコンバート処理およびダウンコンバート処理を実行する。
【００１５】
フィルタ／ダイプレクサ８０および８５は、信号混合器５０および５５の各々から供給された周波数変換された信号を濾波し、ダイプレックスするように動作し、ＩＦ信号を生成する。例示的な実施の形態によれば、フィルタ／ダイプレクサ８０および８５は、周波数変換された信号を濾波し、結果として生じたＩＦ信号は、保護周波数帯を挟んで周波数において互いに隣接して位置する。例えば、各ＩＦ信号は、複数のバーチャル・チャンネルまたはサブチャンネルを含むようにすることができる。本発明のこの態様のさらなる詳細は、本明細書において後述される。
【００１６】
増幅器９０は、フィルタ／ダイプレクサ８０および８５から供給されたＩＦ信号を増幅するように動作し、増幅されたＩＦ信号を生成する。例示的な実施の形態によれば、増幅器９０から供給される増幅されたＩＦ信号によって占有される帯域幅は、信号処理装置１００によって生成されたＩＦ信号の数に依存する。
【００１７】
Ａ／Ｄコンバータ９５は、増幅器９０から供給された増幅されたＩＦ信号をクロック（ＣＬＫ）信号に従ってディジタル信号に変換するように動作する。例示的な実施の形態によれば、Ａ／Ｄコンバータ９５は、周波数変換に相当する変換を実行し、信号混合器５０および５５と協働し、２段階の周波数変換を行う。図１に示すように、Ａ／Ｄコンバータ９５によって生成されたディジタル信号は、さらなる処理（例えば、復調、トランスポート処理、復号化など）、最終的には、オーラルおよび／または映像の出力のために供給される。従って、信号処理装置１００は、全ての受信チャンネルのために、単一のＡ／Ｄコンバータ９５および復調器（図示せず）を使用するという利点を有する。
【００１８】
図２を参照すると、本発明の別の例示的な実施の形態に係る信号処理装置２００が示されている。図１の信号処理装置１００と同様に、図２の信号処理装置２００もまた、マルチチャンネル・テレビジョン信号受信機および／またはその他の装置など、複数のチャンネルを受信する装置のフロントエンド処理回路を表している。例示的な説明のため、図２の信号処理装置２００は、さらに、２つのチャンネルのための２つの異なる処理パスを含むが、拡張可能なものであり、２つよりも多い数のチャンネルにも対応できるように変更することも可能である。図２の信号処理装置２００は、さらに、図１の信号処理装置１００の要素と同じものを多数含み、このような共通の要素は、図１および図２で同じ参照符号を用いて表されている。説明の簡略化のため、これらの共通の要素については再び説明しないが、読者は、本明細書において既に提供したこれらの要素の説明を参照することが可能であろう。しかしながら、図２の信号処理装置２００は、図１の信号処理装置１００とは、信号分配器１５の代わりに第１のアンテナ１０および第２のアンテナ１２を含む点において異なる。図２に示す信号処理装置２００の例示的な実施の形態は、例えば、複数の地上放送チャンネルを同時に受信するために使用される。
【００１９】
次に、本発明をより良好に理解するための例を挙げる。図３を参照すると、本発明の例示的な実施の形態に係る手順を示すフローチャート３００が示されている。例示的な説明のため、図３の各ステップについての記載は、図１および図２の信号処理装置１００および２００の各要素を参照して行われる。図３の手順は、例示的なものに過ぎず、どのような点においても本発明を限定するように解釈されるべきではない。
【００２０】
ステップ３１０において、信号処理装置１００／２００に対してユーザのチャンネル選択が実行される。例示的な実施の形態によれば、ユーザは、ハンドヘルド遠隔制御装置、有線および／または無線キーボード、キーパッド、および／または他の入力装置／要素などのユーザ入力装置（図１および図２に示さず。）を介して信号処理装置１００／２００に対して１つ以上の入力を行うことによって、ステップ３１０におけるチャンネル選択を実行するようにしてもよい。図１および図２に示す例示的な実施の形態では、ユーザはステップ３１０において２つまでの異なるチャンネルを選択し、例えば、ピクチャ・イン・ピクチャ（ＰＩＰ）機能、記録機能（例えば、あるチャンネルを視聴している間に別のチャンネルを記録する）、および／または他の機能を実現可能にする。しかしながら、本明細書において上述したように、信号処理装置１００／２００は拡張可能なものであり、ステップ３１０において２よりも多い数のチャンネルを選択するように変更することができる。
【００２１】
ステップ３２０において、信号処理装置１００／２００は、ステップ３１０のユーザのチャンネル選択に応じてＲＦ信号を生成する。例示的な実施の形態によれば、入力フィルタ２０、ＡＧＣ増幅器３０、および出力フィルタ４０は、信号分配器１５（図１の実施の形態）または第１のアンテナ１０（図２の実施の形態）から供給されるＲＦ入力信号を処理し、ステップ３１０のユーザのチャンネル選択に応じてステップ３２０において第１のチャンネルに対応する第１のＲＦ信号を生成する。同様に、入力フィルタ２５、ＡＧＣ増幅器３５、および出力フィルタ４５は、信号分配器１５（図１の実施の形態）または第２のアンテナ１２（図２の実施の形態）から供給されるＲＦ入力信号を処理し、ステップ３１０のユーザのチャンネル選択に応じてステップ３２０において第２のチャンネルに対応する第２のＲＦ信号を生成する。従って、第１および第２のＲＦ信号は、ステップ３１０のユーザのチャンネル選択に基づいた周波数の関係を示す。本明細書において後述するように、第１および第２のチャンネルは異なるチャンネルでもよいし、同じチャンネルでもよい。ＲＦ入力信号は、オーディオ、ビデオ、および／またはデータ・コンテンツを含み、地上、ケーブル、衛星、インターネット、および／または他の信号源など、同じ信号源から供給されてもよく、複数の異なる信号源から供給されてもよい。ＲＦ入力信号の帯域幅は信号源によって異なることがある。例示的な実施の形態によれば、ＲＦ入力信号は、複数の６ＭＨｚの物理チャンネルを含み、このような物理チャンネルの各々は、複数のバーチャル・チャンネル、またはサブチャンネルを含んでいてもよい。
【００２２】
ステップ３３０において、信号処理装置１００／２００は、ステップ３２０で生成したＲＦ信号から周波数変換された信号を生成する。例示的な実施の形態によれば、ステップ３３０において信号混合器５０、ＬＯ６０、およびＰＬＬ７０は、第１のチューニング手段として動作し、第１の周波数変換された信号を生成し、信号混合器５５、ＬＯ６５、およびＰＬＬ７５は、第２のチューニング手段として動作し、第２の周波数変換された信号を生成する。
【００２３】
例として、ユーザがステップ３１０において２つの異なるチャンネルを、即ち、１７７ＭＨｚの中心周波数を有するチャンネル７、および２１３ＭＨｚの中心周波数を有するチャンネル１３を選択したと仮定する。各チャンネルは６ＭＨｚの帯域幅を有する。ステップ３３０において、信号混合器５０および５５は、出力フィルタ４０および４５から１７７ＭＨｚおよび２１３ＭＨｚの信号を受信し、受信した信号をＬＯ６０および６５から供給されたＬＯ信号と混合し、第１および第２の周波数変換された信号をそれぞれ生成する。この例によれば、ＬＯ６０は１０９７ＭＨｚの周波数を有するＬＯ信号を供給し、ＬＯ６５は１１５３ＭＨｚの周波数を有するＬＯ信号を供給する。信号混合器５０は、出力フィルタ４０から供給された１７７ＭＨｚの信号とＬＯ６０から供給された１０９７ＭＨｚの信号とを混合し、９２０ＭＨｚの中心周波数を有する第１の周波数変換された信号を生成する。信号混合器５５は、出力フィルタ４５から供給された２１３ＭＨｚの信号とＬＯ６５から供給された１１５３ＭＨｚの信号を混合し、９４０ＭＨｚの中心周波数を有する第２の周波数変換された信号を生成する。この例では、周波数のアップコンバートは、１７７ＭＨｚおよび２１３ＭＨｚの各信号に対して行われたが、本発明に従って、周波数のダウンコンバート（を行ってもよい。例示的な実施の形態によれば、１７７ＭＨｚおよび２１３ＭＨｚの信号は、９２０ＭＨｚおよび９４０ＭＨｚにそれぞれ周波数がアップコンバートされ、本明細書においてより詳細に後述する本発明に従ったＩＦスタッキング構成（ＩＦ  ｓｔａｃｋｉｎｇ  ａｒｒａｎｇｅｍｅｎｔ）を容易に実現する。
【００２４】
別の例では、ステップ３１０において、ユーザが１つのチャンネルのみ、即ち、中心周波数が２１３ＭＨｚで６ＭＨｚの帯域幅を有するチャンネル１３を選択したと仮定する。この場合、入力フィルタ２０および２５、さらに出力フィルタ４０および４５は、ステップ３１０のユーザのチャンネル選択に応じて同一の２１３ＭＨｚの信号を供給する。本発明のＩＦスタッキング構成を容易に実現するために、ＬＯ６０および６５は、異なる周波数のＬＯ信号を供給する。この例によれば、ＬＯ６０は、１１３３ＭＨｚの周波数を有するＬＯ信号を供給し、ＬＯ６５は、１１５３ＭＨｚの周波数を有するＬＯ信号を供給する。信号混合器５０は、出力フィルタ４０から供給された２１３ＭＨｚの信号をＬＯ６０から供給された１１３３ＭＨｚの信号と混合し、９２０ＭＨｚの中心周波数を有する第１の周波数変換された信号を生成する。信号混合器５５は、出力フィルタ４５から供給された２１３ＭＨｚの信号とＬＯ６５から供給された１１５３ＭＨｚの信号を混合し、９４０ＭＨｚの中心周波数を有する第２の周波数変換された信号を生成する。なお、ステップ３１０においてユーザが１つのチャンネルのみを選択した場合には、幾らかの位相補償が必要となる場合がある。
【００２５】
ステップ３４０において、信号処理装置１００／２００は、ステップ３３０において生成した周波数変換された信号からＩＦ信号を生成する。例示的な実施の形態によれば、フィルタ／ダイプレクサ８０および８５は、信号混合器５０および５５から供給された第１および第２の周波数変換された信号を濾波し、固定された周波数のスタッキング構成において、第１および第２のＩＦ信号をそれぞれ生成する。前の例では、フィルタ／ダイプレクサ８０は、９２０ＭＨｚの信号に対して６ＭＨｚの通過帯域を提供し、９１７ＭＨｚ〜９２３ＭＨｚの第１のＩＦ信号を生成する。さらに、フィルタ／ダイプレクサ８５は、９４０ＭＨｚの信号に対して６ＭＨｚの通過帯域を提供し、９３７ＭＨｚ〜９４３ＭＨｚの第２のＩＦ信号を生成する。この例では、９２３ＭＨｚ〜９３７ＭＨｚの間に保護周波数帯が存在するであろう。このように、フィルタ／ダイプレクサ８０は、第１の周波数帯（例えば、９１７ＭＨｚ〜９２３ＭＨｚ）を占有する第１のＩＦ信号を生成し、フィルタ／ダイプレクサ８５は、第２の周波数帯（例えば、９３７ＭＨｚ〜９４３ＭＨｚ）を占有する第２のＩＦ信号を生成する。第１の周波数帯と第２の周波数帯との間に、この第１および第２の周波数帯に連続的に保護周波数帯（例えば、９２３ＭＨｚ〜９３７ＭＨｚ）が存在する。従って、ステップ３４０で生成された第１および第２のＩＦ信号は、その間の周波数に保護周波数帯がスタックされている。信号処理装置１００／２００のアーキテクチャが拡張される場合には、本発明に従って、２つよりも多い数の周波数がスタックされたＩＦ信号がステップ３４０で生成される。なお、ステップ３２０で生成された第１および第２のＲＦ信号の間の周波数の関係は、ステップ３１０におけるユーザのチャンネル選択に左右されるものであり、従って、ステップ３４０において生成した第１および第２のＩＦ信号の間の所定の周波数がスタックされた関係とは無関係である。
【００２６】
ステップ３５０において、信号処理装置１００／２００は、ステップ３４０において生成したＩＦ信号から増幅されたＩＦ信号を生成する。例示的な実施の形態によれば、増幅器９０は、フィルタ／ダイプレクサ８０および８５から供給されたＩＦ信号を増幅し、増幅されたＩＦ信号を生成する。増幅器９０から供給される増幅されたＩＦ信号によって占有される帯域幅は、信号処理装置１００によって生成されたＩＦ信号の数に依存する。上記の例では、増幅器９０から供給される増幅されたＩＦ信号は、９１７ＭＨｚ〜９４３ＭＨｚの２６ＭＨｚの帯域幅を有し、９２３ＭＨｚ〜９３７ＭＨｚは、保護周波数帯を表す。もちろん、本明細書中で言及する周波数および周波数帯域の全ては例示的なものに過ぎず、本発明に従って他の周波数および／または周波数帯域を使用することもできる。
【００２７】
ステップ３６０において、信号処理装置１００／２００は、ステップ３５０において生成した増幅されたＩＦ信号からディジタル信号を生成する。例示的な実施の形態によれば、Ａ／Ｄコンバータ９５は、増幅器９０から供給される増幅されたＩＦ信号をクロック（ＣＬＫ）信号に従ってディジタル信号に変換する。上記の例では、クロック（ＣＬＫ）信号は、２６ＭＨｚの帯域幅のコンポジットＩＦ信号では、ナイキスト基準を満たすために、５２ＭＨｚを超える周波数を示さなければならない。例えば、５３．９Ｍｚ、または、６３ＭＨｚのクロック周波数が使用される。Ａ／Ｄコンバータ９５は、周波数変換に相当する変換を実行し、信号混合器５０および５５と協働して２段階の周波数変換を実行する。本発明に従えば、Ａ／Ｄコンバータ９５によって生成されたディジタル信号は、さらなる処理（例えば、復調、トランスポート処理、復号など）のため、最終的には、オーラルおよび／または映像出力のために供給される。
【００２８】
本明細書において説明したように、本発明は、コストパフォーマンスに優れ、拡張可能なアーキテクチャを利用するマルチチャンネル・テレビジョン信号受信機などのマルチチャンネル受信装置において信号処理を実行する装置および方法を提供する。本発明は、表示装置を備えるか否かに関わらず、様々な装置に適用可能である。従って、本明細書中で使用される用語「信号処理装置」、または、「テレビジョン信号受信機」は、限定するものではないが、テレビジョン・セット、コンピュータ、または、モニタを含む表示装置を備えるシステムまたは装置、さらに、セットトップ・ボックス、ビデオセット・レコーダ（ＶＣＲ）、ディジタル多用途ディスク（ＤＶＤ）・プレイヤ、ビデオ・ゲーム・ボックス、パーソナル・ビデオ・レコーダ（ＰＶＲ）、コンピュータ、または他の装置などの表示装置を備えないシステムまたは装置を言及するために使用される。本発明は、携帯電話および／または無線電話などの用途に適用することもできる。例えば、本明細書に開示する信号処理装置は、携帯電話の基地局、および／または他の用途に使用することができる。
【００２９】
本発明に関し、好ましい設計を有するものを説明したが、本発明は、本開示内容の精神および範囲の中でさらなる改変を行うことが可能である。従って、本願は、一般的な原理を使用して、本発明のどのような変形例、使用法、適応例をも包含するように意図される。さらに、本願は、発明に係る技術分野において公知、または慣習の範囲内で本開示内容から派生した内容を包含するように意図しており、このような内容は付随する請求の範囲に包含されるものである。
【図面の簡単な説明】
【００３０】
【図１】本発明の例示的な実施の形態に係る信号処理装置のブロック図である。
【図２】本発明の別の例示的な実施の形態に係る信号処理装置のブロック図である。
【図３】本発明の例示的な実施の形態に係る手順を示すフローチャートである。
【図１】
2008502278.tif 000003
【図２】
2008502278.tif 000004
【図３】
2008502278.tif 000005
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
ユーザのチャンネル選択に応じて第１および第２のＲＦ信号を生成するＲＦ信号源と、
前記ユーザのチャンネル選択に応じて前記第１のＲＦ信号に対応する第１のＩＦ信号を生成する第１のＩＦ生成手段と、
前記ユーザのチャンネル選択に応じて前記第２のＲＦ信号に対応する第２のＩＦ信号を生成する第２のＩＦ生成手段と、を備え、
前記第１のＩＦ信号が前記第２のＩＦ信号に対して所定の周波数の関係を示す信号処理装置。
【請求項２】
前記ＲＦ信号源は、受信したＲＦ信号を分配して前記第１および第２のＲＦ信号を生成する信号分配器を備える請求項１に記載の信号処理装置。
【請求項３】
前記ＲＦ信号源は、
前記第１のＲＦ信号に対応する第１の信号を受信する第１のアンテナと、
前記第２のＲＦ信号に対応する第２の信号を受信する第２のアンテナと、を備える請求項１に記載の信号処理装置。
【請求項４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯に連続して保護周波数帯が存在する請求項１に記載の信号処理装置。
【請求項５】
前記第１のＩＦ生成手段は、
前記第１のＲＦ信号の周波数をアップコンバートして第１の周波数変換された信号を生成する第１のチューニング手段と、
前記第１の周波数変換された信号を濾波して前記第１のＩＦ信号を生成する第１のフィルタ手段と、を備える請求項１に記載の信号処理装置。
【請求項６】
前記第２のＩＦ生成手段は、
前記第２のＲＦ信号の周波数をアップコンバートして第２の周波数変換された信号を生成する第２のチューニング手段と、
前記第２の周波数変換された信号を濾波して前記第２のＩＦ信号を生成する第２のフィルタ手段と、を備える請求項５に記載の信号処理装置。
【請求項７】
前記第１のＩＦ生成手段は、
前記第１のＲＦ信号の周波数をダウンコンバートして第１の周波数変換された信号を生成する第１のチューニング手段と、
前記第１の周波数変換された信号を濾波して前記第１のＩＦ信号を生成する第１のフィルタ手段と、を備える請求項１に記載の信号処理装置。
【請求項８】
前記第２のＩＦ生成手段は、
前記第２のＲＦ信号の周波数をダウンコンバートして第２の周波数変換された信号を生成する第２のチューニング手段と、
前記第２の周波数変換された信号を濾波して前記第２のＩＦ信号を生成する第２のフィルタ手段と、を備える請求項７に記載の信号処理装置。
【請求項９】
前記第１および第２のＩＦ信号に対応するディジタル信号を生成するＡ／Ｄ変換手段をさらに備える請求項１に記載の信号処理装置。
【請求項１０】
前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である請求項１に記載の信号処理装置。
【請求項１１】
ユーザのチャンネル選択に応じて第１および第２のＲＦ信号を生成するステップと、
前記ユーザのチャンネル選択に応じて前記第１のＲＦ信号に対応する第１のＩＦ信号を生成するステップと、
前記ユーザのチャンネル選択に応じて前記第２のＲＦ信号に対応する第２のＩＦ信号を生成するステップと、を含み、
前記第１のＩＦ信号が前記第２のＩＦ信号に対して所定の周波数の関係を示す、マルチチャンネル受信機において信号処理を実行する方法。
【請求項１２】
受信したＲＦ信号を分配して前記第１および第２のＲＦ信号を生成させるステップをさらに含む請求項１１に記載の方法。
【請求項１３】
第１のアンテナを介して前記第１のＲＦ信号に対応する第１の信号を受信するステップと、
第２のアンテナを介して前記第２のＲＦ信号に対応する第２の信号を受信するステップと、をさらに含む請求項１１に記載の方法。
【請求項１４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する請求項１１に記載の方法。
【請求項１５】
前記第１のＩＦ信号を生成するステップは、
前記第１のＲＦ信号の周波数をアップコンバートして第１の周波数変換された信号を生成するステップと、
前記第１の周波数変換された信号を濾波して前記第１のＩＦ信号を生成するステップと、を含む請求項１１に記載の方法。
【請求項１６】
前記第２のＩＦ信号を生成するステップは、
前記第２のＲＦ信号の周波数をアップコンバートして第２の周波数変換された信号を生成するステップと、
前記第２の周波数変換された信号を濾波して前記第２のＩＦ信号を生成するステップと、を含む請求項１５に記載の方法。
【請求項１７】
前記第１のＩＦ信号を生成するステップは、
前記第１のＲＦ信号の周波数をダウンコンバートして第１の周波数変換された信号を生成するステップと、
前記第１の周波数変換された信号を濾波して前記第１のＩＦ信号を生成するステップと、を含む請求項１１に記載の方法。
【請求項１８】
前記第２のＩＦ信号を生成するステップは、
前記第２のＲＦ信号の周波数をダウンコンバートして第２の周波数変換された信号を生成するステップと、
前記第２の周波数変換された信号を濾波して前記第２のＩＦ信号を生成するステップと、を含む請求項１７に記載の方法。
【請求項１９】
前記第１および第２のＩＦ信号に対応するディジタル信号を生成するステップをさらに含む請求項１１に記載の方法。
【請求項２０】
前記第１および第２のＲＦ信号は、前記ユーザのチャンネル選択に基づく周波数の関係を示し、
前記第１および第２のＲＦ信号の間の周波数の関係は前記第１および第２のＩＦ信号の間の前記所定の周波数の関係と無関係である請求項１１に記載の方法。
【請求項２１】
ユーザのチャンネル選択に応じて第１および第２のＲＦ信号を生成するように動作するＲＦ信号源と、
前記ユーザのチャンネル選択に応じて前記第１のＲＦ信号に対応する第１のＩＦ信号を生成するように動作する第１のＩＦ生成器と、
前記ユーザのチャンネル選択に応じて前記第２のＲＦ信号に対応する第２のＩＦ信号を生成する第２のＩＦ生成器と、を備え、
前記第１のＩＦ信号が前記第２のＩＦ信号に対して所定の周波数の関係を示すテレビジョン信号受信機。
【請求項２２】
前記ＲＦ信号源は、受信したＲＦ信号を分配して前記第１および第２のＲＦ信号を生成可能な信号分配器を備える請求項２１に記載のテレビジョン信号受信機。
【請求項２３】
前記ＲＦ信号源は、
前記第１のＲＦ信号に対応する第１の信号を受信する第１のアンテナと、
前記第２のＲＦ信号に対応する第２の信号を受信する第２のアンテナと、を備える請求項２１に記載のテレビジョン信号受信機。
【請求項２４】
前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する請求項２１に記載のテレビジョン信号受信機。
【請求項２５】
前記第１のＩＦ生成器は、
前記第１のＲＦ信号の周波数をアップコンバートして第１の周波数変換された信号を生成する第１のチューナと、
前記第１の周波数変換された信号を濾波して前記第１のＩＦ信号を生成する第１のフィルタと、を備える請求項２１に記載のテレビジョン信号受信機。
【請求項２６】
前記第２のＩＦ生成器は、
前記第２のＲＦ信号の周波数をアップコンバートして第２の周波数変換された信号を生成する第２のチューナと、
前記第２の周波数変換された信号を濾波して前記第２のＩＦ信号を生成する第２のフィルタと、を備える請求項２５に記載のテレビジョン信号受信機。
【請求項２７】
前記第１のＩＦ生成器は、
前記第１のＲＦ信号の周波数をダウンコンバートして第１の周波数変換された信号を生成する第１のチューナと、
前記第１の周波数変換された信号を濾波して前記第１のＩＦ信号を生成する第１のフィルタと、を備える請求項２１に記載のテレビジョン信号受信機。
【請求項２８】
前記第２のＩＦ生成器は、
前記第２のＲＦ信号の周波数をダウンコンバートして第２の周波数変換された信号を生成する第２のチューナと、
前記第２の周波数変換された信号を濾波して前記第２のＩＦ信号を生成する第２のフィルタと、を備える請求項２７に記載のテレビジョン信号受信機。
【請求項２９】
前記第１および第２のＩＦ信号に対応するディジタル信号を生成するＡ／Ｄコンバータをさらに備える請求項２１に記載のテレビジョン信号受信機。
【請求項３０】
前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である請求項２１に記載のテレビジョン信号受信機。
【手続補正２】
【補正対象書類名】明細書
【補正対象項目名】０００９
【補正方法】変更
【補正の内容】
【０００９】
本明細書に例示された内容は、本発明の好ましい実施の形態を示し、このように例示された内容は、どのような点においても、本発明の範囲を限定するように解釈されるべきではない。各図面を通じて、共通の参照符号は、同一、または同様の要素を表すために使用される。
特許請求の範囲と実施例との対応関係を図面で使われている参照番号で示すと次の通りである。
（１）  ユーザのチャンネル選択に応じて第１および第２のＲＦ信号を生成するＲＦ信号源１０、１２、１５、２０、２５、３０、３５、４０、４５と、
前記ユーザのチャンネル選択に応じて前記第１のＲＦ信号に対応する第１のＩＦ信号を生成する第１のＩＦ生成手段５０、６０、７０、８０と、
前記ユーザのチャンネル選択に応じて前記第２のＲＦ信号に対応する第２のＩＦ信号を生成する第２のＩＦ生成手段５５、６５、７５、８５と、を備え、
前記第１のＩＦ信号が前記第２のＩＦ信号に対して所定の周波数の関係を示す信号処理装置１００／２００。
（２）  前記ＲＦ信号源１０、１２、１５、２０、２５、３０、３５、４０、４５は、受信したＲＦ信号を分配して前記第１および第２のＲＦ信号を生成する信号分配器１５を備える（１）に記載の信号処理装置１００／２００。
（３）  前記ＲＦ信号源１０、１２、１５、２０、２５、３０、３５、４０、４５は、
前記第１のＲＦ信号に対応する第１の信号を受信する第１のアンテナ１０と、
前記第２のＲＦ信号に対応する第２の信号を受信する第２のアンテナ１２と、を備える（１）に記載の信号処理装置１００／２００。
（４）  前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯に連続して保護周波数帯が存在する（１）に記載の信号処理装置１００／２００。
（５）  前記第１のＩＦ生成手段５０、６０、７０、８０は、
前記第１のＲＦ信号の周波数をアップコンバートして第１の周波数変換された信号を生成する第１のチューニング手段５０、６０、７０と、
前記第１の周波数変換された信号を濾波して前記第１のＩＦ信号を生成する第１のフィルタ手段８０と、を備える（１）に記載の信号処理装置１００／２００。
（６）  前記第２のＩＦ生成手段５５、６５、７５、８５は、
前記第２のＲＦ信号の周波数をアップコンバートして第２の周波数変換された信号を生成する第２のチューニング手段５５、６５、７５と、
前記第２の周波数変換された信号を濾波して前記第２のＩＦ信号を生成する第２のフィルタ手段８５と、を備える（５）に記載の信号処理装置１００／２００。
（７）  前記第１のＩＦ生成手段５０、６０、７０、８０は、
前記第１のＲＦ信号の周波数をダウンコンバートして第１の周波数変換された信号を生成する第１のチューニング手段５０、６０、７０と、
前記第１の周波数変換された信号を濾波して前記第１のＩＦ信号を生成する第１のフィルタ手段８０と、を備える（１）に記載の信号処理装置１００／２００。
（８）  前記第２のＩＦ生成手段５５、６５、７５、８５は、
前記第２のＲＦ信号の周波数をダウンコンバートして第２の周波数変換された信号を生成する第２のチューニング手段５５、６５、７５と、
前記第２の周波数変換された信号を濾波して前記第２のＩＦ信号を生成する第２のフィルタ手段８５と、を備える（７）に記載の信号処理装置１００／２００。
（９）  前記第１および第２のＩＦ信号に対応するディジタル信号を生成するＡ／Ｄ変換手段９５をさらに備える（１）に記載の信号処理装置１００／２００。
（１０）  前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である（１）に記載の信号処理装置１００／２００。
（１１）  ユーザのチャンネル選択に応じて第１および第２のＲＦ信号を生成するステップ３２０と、
前記ユーザのチャンネル選択に応じて前記第１のＲＦ信号に対応する第１のＩＦ信号を生成するステップ３３０、３４０と、
前記ユーザのチャンネル選択に応じて前記第２のＲＦ信号に対応する第２のＩＦ信号を生成するステップ３３０、３４０と、を含み、
前記第１のＩＦ信号が前記第２のＩＦ信号に対して所定の周波数の関係を示す、マルチチャンネル受信機において信号処理を実行する方法３００。
（１２）  受信したＲＦ信号を分配して前記第１および第２のＲＦ信号を生成させるステップをさらに含む（１１）に記載の方法３００。
（１３）  第１のアンテナを介して前記第１のＲＦ信号に対応する第１の信号を受信するステップと、
第２のアンテナを介して前記第２のＲＦ信号に対応する第２の信号を受信するステップと、をさらに含む（１１）に記載の方法３００。
（１４）  前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する（１１）に記載の方法３００。
（１５）  前記第１のＩＦ信号を生成するステップは、
前記第１のＲＦ信号の周波数をアップコンバートして第１の周波数変換された信号を生成するステップ３３０と、
前記第１の周波数変換された信号を濾波して前記第１のＩＦ信号を生成するステップ３４０と、を含む（１１）に記載の方法３００。
（１６）  前記第２のＩＦ信号を生成するステップは、
前記第２のＲＦ信号の周波数をアップコンバートして第２の周波数変換された信号を生成するステップ３３０と、
前記第２の周波数変換された信号を濾波して前記第２のＩＦ信号を生成するステップ３４０と、を含む（１５）に記載の方法３００。
（１７）  前記第１のＩＦ信号を生成するステップは、
前記第１のＲＦ信号の周波数をダウンコンバートして第１の周波数変換された信号を生成するステップ３３０と、
前記第１の周波数変換された信号を濾波して前記第１のＩＦ信号を生成するステップ３４０と、を含む（１１）に記載の方法３００。
（１８）  前記第２のＩＦ信号を生成するステップは、
前記第２のＲＦ信号の周波数をダウンコンバートして第２の周波数変換された信号を生成するステップ３３０と、
前記第２の周波数変換された信号を濾波して前記第２のＩＦ信号を生成するステップ３４０と、を含む（１７）に記載の方法３００。
（１９）  前記第１および第２のＩＦ信号に対応するディジタル信号を生成するステップ３６０をさらに含む（１１）に記載の方法３００。
（２０）  前記第１および第２のＲＦ信号は、前記ユーザのチャンネル選択に基づく周波数の関係を示し、
前記第１および第２のＲＦ信号の間の周波数の関係は前記第１および第２のＩＦ信号の間の前記所定の周波数の関係と無関係である（１１）に記載の方法３００。
（２１）  ユーザのチャンネル選択に応じて第１および第２のＲＦ信号を生成するように動作するＲＦ信号源１０、１２、１５、２０、２５、３０、３５、４０、４５と、
前記ユーザのチャンネル選択に応じて前記第１のＲＦ信号に対応する第１のＩＦ信号を生成するように動作する第１のＩＦ生成器５０、６０、７０、８０と、
前記ユーザのチャンネル選択に応じて前記第２のＲＦ信号に対応する第２のＩＦ信号を生成する第２のＩＦ生成器５５、６５、７５、８５と、を備え、
前記第１のＩＦ信号が前記第２のＩＦ信号に対して所定の周波数の関係を示すテレビジョン信号受信機１００／２００。
（２２）  前記ＲＦ信号源１０、１２、１５、２０、２５、３０、３５、４０、４５は、受信したＲＦ信号を分配して前記第１および第２のＲＦ信号を生成可能な信号分配器１５を備える（２１）に記載のテレビジョン信号受信機１００／２００。
（２３）  前記ＲＦ信号源１０、１２、１５、２０、２５、３０、３５、４０、４５は、
前記第１のＲＦ信号に対応する第１の信号を受信する第１のアンテナ１０と、
前記第２のＲＦ信号に対応する第２の信号を受信する第２のアンテナ１２と、を備える（２１）に記載のテレビジョン信号受信機１００／２００。
（２４）  前記第１のＩＦ信号は、第１の周波数帯を占有し、
前記第２のＩＦ信号は、第２の周波数帯を占有し、
前記第１の周波数帯と第２の周波数帯との間に、当該第１および第２の周波数帯と連続して保護周波数帯が存在する（２１）に記載のテレビジョン信号受信機１００／２００。
（２５）  前記第１のＩＦ生成器５０、６０、７０、８０は、
前記第１のＲＦ信号の周波数をアップコンバートして第１の周波数変換された信号を生成する第１のチューナ５０、６０、７０と、
前記第１の周波数変換された信号を濾波して前記第１のＩＦ信号を生成する第１のフィルタ８０と、を備える（２１）に記載のテレビジョン信号受信機１００／２００。
（２６）  前記第２のＩＦ生成器５５、６５、７５、８５は、
前記第２のＲＦ信号の周波数をアップコンバートして第２の周波数変換された信号を生成する第２のチューナ５５、６５、７５と、
前記第２の周波数変換された信号を濾波して前記第２のＩＦ信号を生成する第２のフィルタ８５と、を備える（２５）に記載のテレビジョン信号受信機１００／２００。
（２７）  前記第１のＩＦ生成器５０、６０、７０、８０は、
前記第１のＲＦ信号の周波数をダウンコンバートして第１の周波数変換された信号を生成する第１のチューナ５０、６０、７０と、
前記第１の周波数変換された信号を濾波して前記第１のＩＦ信号を生成する第１のフィルタ８０と、を備える（２１）に記載のテレビジョン信号受信機１００／２００。
（２８）  前記第２のＩＦ生成器５５、６５、７５、８５は、
前記第２のＲＦ信号の周波数をダウンコンバートして第２の周波数変換された信号を生成する第２のチューナ５５、６５、７５と、
前記第２の周波数変換された信号を濾波して前記第２のＩＦ信号を生成する第２のフィルタ８５と、を備える（２７）に記載のテレビジョン信号受信機１００／２００。
（２９）  前記第１および第２のＩＦ信号に対応するディジタル信号を生成するＡ／Ｄコンバータ９５をさらに備える（２１）に記載のテレビジョン信号受信機１００／２００。
（３０）  前記第１および第２のＲＦ信号は、前記ユーザのチャンネル選択に基づく周波数の関係を示し、
前記第１および第２のＲＦ信号の間の周波数の関係は、前記第１および第２のＩＦ信号の間の前記所定の周波数の関係と無関係である（２１）に記載のテレビジョン信号受信機１００／２００。
【国際調査報告】
2008502278.tif 000006
2008502278.tif 000007
2008502278.tif 000008